(57)【要約】      （修正有）【課題】  生体情報を測定することに消極的な対象者に対しても、簡便に生体情報を取得し、記録し、管理することが可能な生体情報測定装置、生体情報管理システム、生体情報管理サーバ及びプログラムを提供する。【解決手段】  互いに通信可能な、生体情報測定装置と、情報処理端末と、生体情報管理サーバーとから構成される生体情報管理システムであり、生体情報測定装置は生体情報センサと、測定データから生体情報を算出する生体情報制御部と、データ記録部と生体情報表示部と、生体情報入力部と、コネクタ接続部と、前記情報処理端末に弱い電磁波で無線送受信するデータ通信部と、生体情報データを記録する携帯型メモリが挿入されるカードスロット部を備える。【選択図】        図１
2006263229.tif 000002
【特許請求の範囲】
【請求項１】
互いに通信可能な、生体情報測定装置と、情報処理端末と、生体情報管理サーバとから構成される生体情報管理システムであって、
前記生体情報測定装置は、光センサー、温度センサー、発光素子、インピーダンスセンサーからなる群のうち一以上のセンサーにより、対象者の生体情報の測定をする生体情報測定センサーと、測定した前記生体情報から、対象者の血糖値、血漿値、血圧、脈拍、体温、心筋、血管、コレストロール値、血中内のイオン値（Ｋ，Ｎａ）、分圧値（酸素、二酸化炭素、窒素）、酸素飽和度、血液サラサラ度、偏頭痛予知からなる群のうち一以上の生体情報データの算出をする生体情報制御部と、前記測定をした生体情報と算出をした前記生体情報データとの記録をするデータ記録部と、前記記録をした生体情報データを数値もしくはグラフを表示する生体情報表示部と、前記生体情報データの測定、表示、制御を行うためにユーザからの入力を受ける生体情報データ入力部と、前記生体情報データを出力するための外部端子と接続可能なコネクタ接続部と、前記生体情報データを前記情報処理端末に、強度が低い電磁波を用いて無線で送受信するデータ通信部と、前記生体情報データを記録する携帯型メモリが挿入されるカードスロット部とを備え、
前記情報処理端末は、無線通信可能な生体情報測定装置により取得された生体情報データを、前記無線通信により受信をする生体情報データ受信部と、前記受信した生体情報データの記録をする情報処理端末記録部と、前記生体情報データから、生体情報データの時間的な推移のグラフを表示する情報処理端末表示部と、ユーザから詳細情報データの要求を受ける情報処理端末入力部と、前記要求に対して、前記生体情報管理サーバに詳細情報データを要求する詳細情報要求部と、前記詳細情報データを前記生体情報管理サーバから取得する詳細情報取得部と、前記記録をした生体情報データを前記生体情報管理サーバに送信する情報処理端末送信部と、を備え、
前記生体情報管理サーバは、前記情報処理端末からの要求に対して応答する詳細情報データを処理検索し、この応答するデータを前記情報処理端末に送信するサーバ制御部と、前記情報処理端末から送信された生体情報データを記録するサーバ記録部と、
を備えた生体情報管理システム。
【請求項２】
前記生体情報管理サーバを備えず、互いに通信可能な、前記生体情報測定装置と、前記情報処理端末とで構成され、前記情報処理端末にて、処理検索および記録を行う、請求項１に記載の生体情報管理システム。
【請求項３】
前記生体情報管理サーバ、前記情報処理端末を備えずに、前記生体情報測定装置に、前記生体情報管理サーバ及び前記情報処理端末の機能を備えた、請求項１に記載の生体情報管理システム。
【請求項４】
前記生体情報測定装置において、前記光センサー、前記温度センサー、前記発光素子、前記インピーダンスセンサーの全て、あるいは一部が他と離れ、ケーブルで接続される、請求項１に記載の生体情報管理システム。
【請求項５】
前記生体情報測定装置において、前記生体情報表示部を備えず、他の表示（ファックスやコンピュータのディスプレー）を利用する、請求項１に記載の生体情報管理システム。
【請求項６】
前記生体情報測定装置において、前記コネクタ接続部、前記データ通信部、前記カードスロット部を備えず、ケーブルで接続される、請求項１に記載の生体情報管理システム。
【発明の詳細な説明】
【技術分野】
【０００１】
本発明は、生体情報測定装置、生体情報管理システム、生体情報管理サーバ及びプログラムに関する。
【背景技術】
【０００２】
従来より、生体情報は、医師や専門家が対象者にカウンセリングする形態で記録される。この記録をデータとして管理するために、生体情報が記載された紙を所定の管理センターにＦＡＸ送信し、ＦＡＸを受信したオペレータが生体情報データとしてコンピュータ装置に入力していた。
【発明の開示】
【発明が解決しようとする課題】
【０００３】
しかしながら、上述した方法では、患者が病院へ行って診察や検査を受けることを条件として生体情報が入力されるため、病院へ頻繁に行かない対象者の生体情報を取得することはできない。例えば、生活習慣病のような病気は、日々の生活習慣から発生する病気であるが、患者（対象者）にとっては、症状が発症するまでは、自分が病気であることに気がつかない。したがって、このような対象者は病院へ行くことがないため、対象者の生体情報の記録と管理を行うことが不可能であった。
【０００４】
本発明は、上述したような課題に鑑みてなされたものであり、生体情報を測定することに消極的な対象者に対しても、簡便に生体情報を取得し、記録し、管理することが可能な生体情報測定装置、生体情報管理システム、生体情報管理サーバ及びプログラムを提供することを目的とする。
【課題を解決するための手段】
【０００５】
以上のような目的を達成するために、本発明は、以下のようなものを提供する。
【０００６】
（１）  互いに通信可能な、生体情報測定装置と、情報処理端末と、生体情報管理サーバとから構成される生体情報管理システムであって、
前記生体情報測定装置は、光センサー、温度センサー、発光素子、インピーダンスセンサーからなる群のうち一以上のセンサーにより、対象者の生体情報の測定をする生体情報測定センサーと、測定した前記生体情報から、対象者の血糖値、血漿値、血圧、脈拍、体温、心筋、血管、コレストロール値、血中内のイオン値（Ｋ，Ｎａ）、分圧値（酸素、二酸化炭素、窒素）、酸素飽和度、血液サラサラ度、偏頭痛予知からなる群のうち一以上の生体情報データの算出をする生体情報制御部と、前記測定をした生体情報と算出をした前記生体情報データとの記録をするデータ記録部と、前記記録をした生体情報データを数値もしくはグラフを表示する生体情報表示部と、前記生体情報データの測定、表示、制御を行うためにユーザからの入力を受ける生体情報データ入力部と、前記生体情報データを出力するための外部端子と接続可能なコネクタ接続部と、前記生体情報データを前記情報処理端末に、強度が低い電磁波を用いて無線で送受信するデータ通信部と、前記生体情報データを記録する携帯型メモリが挿入されるカードスロット部とを備え、
前記情報処理端末は、無線通信可能な生体情報測定装置により取得された生体情報データを、前記無線通信により受信をする生体情報データ受信部と、前記受信した生体情報データの記録をする情報処理端末記録部と、前記生体情報データから、生体情報データの時間的な推移のグラフを表示する情報処理端末表示部と、ユーザから詳細情報データの要求を受ける情報処理端末入力部と、前記要求に対して、前記生体情報管理サーバに詳細情報データを要求する詳細情報要求部と、前記詳細情報データを前記生体情報管理サーバから取得する詳細情報取得部と、前記記録をした生体情報データを前記生体情報管理サーバに送信する情報処理端末送信部と、を備え、
前記生体情報管理サーバは、前記情報処理端末からの要求に対して応答する詳細情報データを処理検索し、この応答するデータを前記情報処理端末に送信するサーバ制御部と、前記情報処理端末から送信された生体情報データを記録するサーバ記録部と、
を備えた生体情報管理システム。
【０００７】
（１）に記載の発明によれば、生体情報を測定することに消極的な対象者に対しても、簡便に生体情報を取得し、記録し、管理することが可能な生体情報管理システムを提供することが可能である。また、生体情報測定装置が、腕時計や携帯電話であれば、特別な装置を必要とすることなく、生体情報を取得することが可能である。さらに、情報処理端末が、コンピュータ、携帯電話、携帯情報端末のいずれであってもよい。
【０００８】
（２）  前記生体情報管理サーバを備えず、互いに通信可能な、前記生体情報測定装置と、前記情報処理端末とで構成され、前記情報処理端末にて、処理検索および記録を行う、（１）に記載の生体情報管理システム。
【０００９】
（３）  前記生体情報管理サーバ、前記情報処理端末を備えずに、前記生体情報測定装置に、前記生体情報管理サーバ及び前記情報処理端末の機能を備えた、（１）に記載の生体情報管理システム。
【００１０】
（４）  前記生体情報測定装置において、前記光センサー、前記温度センサー、前記発光素子、前記インピーダンスセンサーの全て、あるいは一部が他と離れ、ケーブルで接続される、（１）に記載の生体情報管理システム。
【００１１】
（５）  前記生体情報測定装置において、前記生体情報表示部を備えず、他の表示（ファックスやコンピュータ等のディスプレー）を利用する、（１）に記載の生体情報管理システム。
【００１２】
（６）  前記生体情報測定装置において、前記コネクタ接続部、前記データ通信部、前記カードスロット部を備えず、ケーブルで接続される、（１）に記載の生体情報管理システム。
【発明の効果】
【００１３】
すなわち、本発明によれば、ユーザは、生体情報を簡便に取得し、容易に把握し、取得したデータの管理を適切に行うことが可能である。
【発明を実施するための最良の形態】
【００１４】
図に記載のとおり。
【図面の簡単な説明】
【００１５】
【図１】本発明の一実施形態の生体情報管理システムに関する図である。
【図２】本発明の一実施形態の生体情報管理システムに関する図である。
【図３】本発明の一実施形態の生体情報管理システムに関する図である。
【図４】本発明の一実施形態の生体情報管理システムに関する図である。
【図５】本発明の一実施形態の生体情報管理システムに関する図である。
【図６】本発明の一実施形態の生体情報管理システムに関する図である。
【図７】本発明の一実施形態の生体情報管理システムに関する図である。
【図８】本発明の一実施形態の生体情報管理システムに関する図である。
【図９】本発明の一実施形態の生体情報管理システムに関する図である。
【図１０】本発明の一実施形態の生体情報管理システムに関する図である。
【図１１】本発明の一実施形態の生体情報管理システムに関する図である。
【図１２】本発明の一実施形態の生体情報管理システムに関する図である。
【図１】
2006263229.tif 000003
【図２】
2006263229.tif 000004
【図３】
2006263229.tif 000005
【図４】
2006263229.tif 000006
【図５】
2006263229.tif 000007
【図６】
2006263229.tif 000008
【図７】
2006263229.tif 000009
【図８】
2006263229.tif 000010
【図９】
2006263229.tif 000011
【図１０】
2006263229.tif 000012
【図１１】
2006263229.tif 000013
【図１２】
2006263229.tif 000014